(57)【要約】【課題】詳細情報を表示する第１の表示手段と、簡易情報のみ表示する第２の表示手段との表示内容の整合性を確保する。【解決手段】制御手段８は、設定時間だけ加熱手段３を通電するタイマー加熱モードと、温度センサ４より入力する信号と制御温度との関係に基づき加熱手段３を通電制御する温調モードを有して、動作モードが温調モードのときは、第１の表示手段１１のレベル表示する要素にて設定温度の高低をレベル表示し、数字表示する要素にて設定温度を数字表示することで、第１の表示手段１１から設定温度の選択範囲を表示する要素を削除し、視認性の向上または安価な構成を実現しつつ、第１の表示手段１１と第２の表示手段７との表示内容の整合性を確保できる。【選択図】　図１
2004111086.tif 000002
【特許請求の範囲】
【請求項１】
鍋を加熱する加熱手段と、前記鍋の温度を検知する温度センサと、数字表示する要素とレベル表示する要素を備える第１の表示手段と、前記加熱手段を通電制御し、かつ前記第１の表示手段を制御する制御手段とを備え、前記制御手段は、動作モードとして、設定時間だけ前記加熱手段を通電するタイマー加熱モードと前記温度センサより入力する信号と設定温度との関係に基づき前記加熱手段への通電量を制御する温調モードを有し、前記第１の表示手段のレベル表示する要素を動作モードが前記温調モードのときは前記設定温度の高低をレベル表示するとともに、前記第１の表示手段の数字表示する要素を動作モードが前記タイマー加熱モードのときは前記設定時間を数字表示し、動作モードが前記温調モードのときは前記設定温度を数字表示するようにした加熱調理器。
【請求項２】
制御手段は、動作モードがタイマー加熱モードのときは、加熱出力が設定火力になるよう加熱手段を通電制御するとともに、第１の表示手段のレベル表示する要素にて、前記設定火力の強弱をレベル表示する構成とした請求項１に記載の加熱調理器。
【請求項３】
第１の表示手段に設定火力の選択範囲を表示する要素を設け、制御手段が、動作モードがタイマー加熱モードのときは前記設定火力の選択範囲を表示する要素を表示しかつ選択されている設定火力の強弱をレベル表示する構成とした請求項２に記載の加熱調理器。
【請求項４】
第１の表示手段は、レベル表示する要素を基準としたとき、数字表示する要素と設定火力の選択範囲を表示する要素とを対向する位置に配置したことを特徴とする請求項３に記載の加熱調理器。
【請求項５】
制御手段は、第１の表示手段のレベル表示の一部または全部を点滅させて鍋の温度が調理に適した状態になるまで予熱期間である旨の表示を行う請求項１〜４のいずれか１項に記載の加熱調理器。
【請求項６】
制御手段は、第１の表示手段のレベル表示の一部または全部を点滅させて鍋の温度が加熱に不適切である旨の表示を行うとともに、前記予熱期間である旨の表示と前記鍋が加熱に不適切である旨の表示とで点滅する要素を異なる構成とした請求項５に記載の加熱調理器。
【請求項７】
動作モード、設定時間、設定温度を変更する入力手段と、レベル表示する要素のみを備えた第２の表示手段を有し、第１の表示手段と前記第２の表示手段の何れか一方を前記入力手段近傍に配置し、かつ他方を鍋の設置箇所近傍に配置するとともに、制御手段は、前記第１の表示手段のレベル表示する要素での表示内容を、前記第２の表示手段にて同様に表示する構成とした請求項１〜６のいずれか１項に記載の加熱調理器。
【発明の詳細な説明】
【０００１】
【発明の属する技術分野】
本発明は、一般家庭において使用される加熱調理器に関するものである。
【０００２】
【従来の技術】
以下に従来構成の加熱調理器について図８を用いて説明する。図８は従来の加熱調理器のブロック図である。図８において、１は商用電源、２は鍋、３は加熱手段で、整流器３０、加熱コイル３１、スイッチング素子３２、インバータ回路３３で構成されている。４は温度センサ、５は入力手段、６は第１の表示手段で、バックライト付き液晶表示素子（以後ＬＣＤと称する）で構成され、入力手段５の近傍に設置されている。７は第２の表示手段で、発光ダイオード（以後ＬＥＤと称する）などで構成され、鍋２が設置されるトッププレート上にて鍋２近傍になるように設置されている。
【０００３】
８は制御手段で、加熱制御部９と操作部１０で構成される。そして、加熱制御部９はさらに、通電制御手段９０、第１の変調手段９１、第１の復調手段９２で構成され、通電制御手段９０は、スイッチング素子３２を数十ｋＨｚでオンオフさせて加熱コイル３１に高周波電流を印加し加熱コイル３１と磁気結合する鍋２を誘導加熱する。
【０００４】
また、通電制御手段９０は、初期モード、加熱モード、揚げ物モードの３つの動作モードを備えている。そして、通電制御手段９０は、動作モードが初期モードのときはスイッチング素子３２をオフして加熱停止し、加熱モードのときは１２０Ｗ（「弱」）〜２０００Ｗ（「強」）にて７段階の設定火力を備えて任意の設定火力を選択し、かつ加熱手段３が選択した設定火力の通電量になるようにスイッチング素子３２のオン時間を制御し鍋２を誘導加熱し、揚げ物モードのときは１４０℃〜２００℃にて１０℃刻みで７段階の設定温度を備えて任意の設定温度を選択し、かつ温度センサ４と選択された設定温度との関係に基づきスイッチング素子３２のオン時間を制御し鍋２を誘導加熱する。そして、通電制御手段９０は、第１の復調手段９２より入力する信号に基づき前記動作モード、および設定火力または設定温度を選択する。
【０００５】
さらに、通電制御手段９０は、第２の表示手段７を制御して、前記選択した動作モード、設定火力または設定温度を表示する。さらに、通電制御手段９０は、鍋２が加熱に不適切、加熱手段３の故障、温度センサ４断線などの異常を検知して加熱手段３を通電オフし、第２の表示手段７を制御して前記異常である旨の表示を行うとともに、第１の変調手段９１へ前記異常を示す信号を出力する。
【０００６】
また、操作部１０は、モード制御手段１００、第２の変調手段１０１、第２の復調手段１０２で構成され、モード制御手段１００は、通電制御手段９０の説明で述べた、初期モード、加熱モード、揚げ物モードの３つの動作モードに、タイマー選択モード、タイマー加熱モードを加えた合計５つの動作モードを備えている。そして、モード制御手段１００は、タイマー選択モードのときは加熱手段３が通電オフした状態にて０：０１〜９：５９まで時間設定し、タイマー加熱モードでは０：０１〜９：５９までの設定された時間内だけ加熱手段３を通電制御した後に初期モードへ移行する。そして、モード制御手段１００は、加熱モードとタイマー加熱モードでは１２０Ｗ（「弱」）〜２０００Ｗ（「強」）にて７段階の設定火力、揚げ物モードでは１４０℃〜２００℃にて１０℃刻みで７段階の設定温度、タイマー選択モードとタイマー調理モードでは０：０１〜９：５９の設定可能な時間を備えて、入力手段５より入力する信号に基づき前記動作モード、設定火力、設定温度、または設定時間を選択する。
【０００７】
また、モード制御手段１００は、第１の表示手段６を制御して、前記選択した動作モード、設定火力、設定温度、または時間設定を表示する。さらに、モード制御手段１００は、第２の変調手段１０１へ前記選択した動作モード、設定火力、または設定温度を示す信号を出力する。
【０００８】
さらに、モード制御手段１００は、第２の復調手段１０２より入力する信号に基づき鍋２が加熱に不適切、加熱手段３の故障、温度センサ４断線などの異常を検知し、第１の表示手段６を制御して前記異常である旨の表示を行うとともに、入力手段５による動作モード、設定火力、設定温度、または設定時間の変更を禁止する。
【０００９】
そして、加熱制御部９にある第１の変調手段９１は、通電制御手段９０より入力する信号をシリアル信号に変調して操作部１０にある第２の復調手段１０２に送信し、操作部１０にある第２の復調手段１０２は受信したシリアル信号を復調してモード制御手段１００に出力する。
【００１０】
また、操作部１０にある第２の変調手段１０１は、モード制御手段１００より入力する信号において、動作モードを示す信号部分にて、タイマー選択モードは初期モードと同じ扱いに、タイマー加熱モードは加熱モードと同じ扱いにした後に、シリアル信号に変調して加熱制御部９にある第１の復調手段９２に送信し、加熱制御部９にある第１の復調手段９２は受信したシリアル信号を復調して通電制御手段９０に出力する。
【００１１】
以上のような構成にて、機器を使用する者が入力手段５を操作して選択した動作モード、設定火力または設定温度を操作部１０から加熱制御部９へ伝達し、加熱手段３や温度センサ４で発生した異常を加熱制御部９で検知し、加熱制御部９から操作部１０へ伝達している。
【００１２】
以上のように構成された従来構成の加熱調理器の表示動作について、図９〜図１１を用いて説明する。図９は、第１の表示手段６の全表示要素を示す図、図１０は、第１の表示手段６および第２の表示手段７の表示動作の第１例を示す図であり、図１０の（ａ）はタイマー加熱モードのときの表示、（ｂ）は揚げ物モードのときの表示、（ｃ）はタイマー加熱モードで鍋２が加熱に不適切であるときの表示、（ｄ）は揚げ物モードで鍋２が加熱に不適切であるときの表示を示す図である。
【００１３】
まず、タイマー加熱モードでは、例えば、残時間３時間４５分、設定火力＝「強」の場合、図１０（ａ）に示すように、入力手段５近傍にある第１の表示手段６のＬＣＤにて、タイマー残時間を時１桁と分２桁にて「３：４５」と表示し、現在選択されている設定火力「強」までのレベル表示を行うとともに、前記レベル表示のすぐ下部にて設定火力の選択範囲（「弱」〜「強」設定まで７段階）を示す表示を行う。また、鍋２近傍にある第２の表示手段７のＬＥＤでは、選択されている設定火力「強」までのレベル表示を行う。
【００１４】
次に、揚げ物モードでは、図１０（ｂ）に示すように、例えば、設定温度＝「１８０」℃の場合、入力手段５近傍にある第１の表示手段６のＬＣＤにて、現在選択されている設定温度「１８０」までのレベル表示を行うとともに、前記レベル表示のすぐ上部にて設定温度の選択範囲（１４０℃〜２００℃まで７段階）を示す表示を行い、さらに予熱中であるときは設定温度のレベル表示において、一番右の部分のみ１．０秒毎に点滅させ、その他を点灯させている。
【００１５】
また、鍋２近傍にある第２の表示手段７のＬＥＤでは、選択されている設定温度「１８０」までのレベル表示を行い、さらに予熱中であるときは前記レベル表示の一番右の部分のみ１．０秒毎に点滅させ、その他を点灯させている。
【００１６】
次に、例えば、図１０（ａ）に示すタイマー加熱モードにて鍋２が加熱に不適切であるときは、図１０（ｃ）に示すように、図１０（ａ）で示したタイマー加熱モードのときの表示に対し、第１の表示手段６および第２の表示手段７にて、設定火力「強」までのレベル表示全部を０．５秒毎に点滅表示させる。
【００１７】
次に、例えば、図１０（ｂ）に示す揚げ物モードにて鍋２が加熱に不適切であるときは、図１０（ｄ）に示すように、図１０（ｂ）で示した揚げ物モードのときの表示に対し、第１の表示手段６および第２の表示手段７にて、設定温度「１８０」℃までのレベル表示全部を０．５秒毎に点滅表示させる。
【００１８】
また、図１１は、揚げ物モードのときの表示動作の第２例を示す図である。図１１に示すように、揚げ物モードでは、入力手段５近傍にある第１の表示手段６のＬＣＤにて、揚げ物モードであることを示す表示と設定温度の数字表示を行う場合もある。なお、このときの第２の表示手段７での表示は、図１０（ｂ）に示す表示と同じである。
【００１９】
【特許文献１】
特開平０１−１５５１２６号公報
【００２０】
【発明が解決しようとする課題】
しかしながら、前記従来の構成では、第１例の場合は、入力手段５近傍にある第１の表示手段６において、設定火力または設定温度をレベル表示する要素を挟んで、下側に設定火力の選択範囲（「弱」〜「強」設定まで７段階）を表示する要素、上側に設定温度の選択範囲（１４０℃〜２００℃まで７段階）を表示する要素が存在し、さらにその上側にタイマー選択モードまたはタイマー加熱モードのときに時間表示する要素が存在して合計４段の表示要素となり、表示要素１段あたりの高さが短くなって視認性に難がある。
【００２１】
また、第２例の場合は、第１の表示手段６では選択されている設定温度を数字表示するのみなので、機器を使用する者は選択されている設定温度が７つの設定温度の中でどのレベルにあるのかを第１の表示手段６を見るだけでは確認できない、また第１の表示手段６には予熱中であるとこを示す表示が存在しない、さらに第１の表示手段６と第２の表示手段７との表示内容の整合性が確保できないという課題があった。
【００２２】
本発明は、上記従来の課題を解決するもので、揚げ物モードで選択されている設定温度の具体的な数値および全設定温度数の中での高低レベルの位置づけを表示しつつ、数字表示する要素とレベル表示する要素を含む第１の表示手段６の表示要素段数を削減し、さらに入力手段５近傍に位置する第１の表示手段６と、鍋２近傍に位置し設定温度のレベルのみ表示する第２の表示手段７との表示内容の整合性を確保することを目的とする。
【００２３】
【課題を解決するための手段】
前記従来の課題を解決するために、本発明の加熱調理器は、制御手段が、動作モードとして、設定時間だけ加熱手段を通電するタイマー加熱モードと、温度センサより入力する信号と設定温度との関係に基づき前記加熱手段への通電量を制御する温調モードを有して、第１の表示手段のレベル表示する要素にて、動作モードが前記温調モードのときは前記設定温度の高低をレベル表示するとともに、前記第１の表示手段の数字表示する要素にて、動作モードが前記タイマー加熱モードのときは前記設定時間を数字表示し、動作モードが前記温調モードのときは前記設定温度を数字表示するようにしたものである。
【００２４】
これにより、温調モードのときに設定温度の高低をレベル表示しかつ前記レベル表示が具体的に何℃設定なのかを数字表示し、設定温度の選択範囲を表示する要素を削除して第１の表示手段の上下方向の表示要素段数を１段減少させて、表示範囲全体の高さが同一の場合は表示要素１段当たりの高さを高くして視認性を向上する、または各表示要素の高さが同一の場合は表示範囲全体の高さを低く抑えて安価な部品にて第１の表示手段を構成することができる。
【００２５】
【発明の実施の形態】
請求項１に記載の発明は、鍋を加熱する加熱手段と、前記鍋の温度を検知する温度センサと、数字表示する要素とレベル表示する要素を備える第１の表示手段と、前記加熱手段を通電制御し、かつ前記第１の表示手段を制御する制御手段とを備え、前記制御手段は、動作モードとして、設定時間だけ前記加熱手段を通電するタイマー加熱モードと前記温度センサより入力する信号と設定温度との関係に基づき前記加熱手段への通電量を制御する温調モードを有し、前記第１の表示手段のレベル表示する要素を動作モードが前記温調モードのときは前記設定温度の高低をレベル表示するとともに、前記第１の表示手段の数字表示する要素を動作モードが前記タイマー加熱モードのときは前記設定時間を数字表示し、動作モードが前記温調モードのときは前記設定温度を数字表示するようにし、制御手段が、温調モードでは、第１の表示手段にて、レベル表示する要素で設定温度の高低をレベル表示しつつ、タイマー加熱モードのときに時間表示を行う数字表示する要素で設定温度を数字表示するように制御するので、レベル表示で設定温度の高低を視覚的に表現し、かつ前記レベル表示が具体的に何℃設定なのかを数字表示して機器を使用する者に認知させるとともに、第１の表示手段の上下方向の表示要素段数を１段（設定温度の選択範囲を表示する要素の分）だけ減少し、表示要素１段あたりの高さを大きくして視認性を向上する、または表示範囲全体の高さを低く抑えた安価な部品にて第１の表示手段を構成することができる。
【００２６】
請求項２に記載の発明は、特に、制御手段は、動作モードがタイマー加熱モードのときは、加熱出力が設定火力になるよう加熱手段を通電制御するとともに、第１の表示手段のレベル表示する要素にて、前記設定火力の強弱をレベル表示する構成として、第１の表示手段のレベル表示する要素にて、温調モードでは設定温度の高低を視覚的に表現し、かつ機器が設定火力にて加熱するモードにおいては設定火力の強弱を視覚的に表現することができる。
【００２７】
請求項３に記載の発明は、特に、請求項２に記載の第１の表示手段に設定火力の選択範囲を表示する要素を設けて、制御手段が、動作モードがタイマー加熱モードのときは前記設定火力の選択範囲を表示する要素を表示しかつ選択されている設定火力の強弱をレベル表示する構成として、機器が所定の火力にて加熱するモードにおいて、第１の表示手段で行うレベル表示が全体の設定数のうちどの段階にあるかを第１の表示手段にて機器を使用する者に知らせることができる。
【００２８】
請求項４に記載の発明は、特に、請求項３に記載の第１の表示手段にて、レベル表示する要素を基準とし、数字表示する要素と設定火力の選択範囲を表示する要素とを対向する位置に配置して、レベル表示する要素に対して等間隔の至近距離となるよう設定温度を数字表示する要素および設定火力の選択範囲を表示する要素を配置できる。そして、第１の表示手段にて、温調モードのときは、設定温度の高低を表現するレベル表示に近い位置で設定温度の数字表示を行い、タイマー加熱モードのときは、設定火力の強弱を表現するレベル表示に近い位置で設定火力の選択範囲を表示して、機器を使用する者が、レベル表示の具体的な設定温度または設定火力がどの段階にあるかを認知し易くすることができる。
【００２９】
請求項５に記載の発明は、特に、請求項１〜４に記載の制御手段は、第１の表示手段のレベル表示の一部または全部を点滅して、鍋を調理に適した状態になるまで加熱する予熱期間である旨の表示を行う構成として、第１の表示手段に予熱期間を表示する要素を新たに追加することなく、第１の表示手段によって設定温度の高低または設定火力の強弱を表現しかつ表示要素の段数削減による視認性向上やコスト削減を行いつつ、予熱期間である旨の表示を行うことができる。
【００３０】
請求項６に記載の発明は、特に、請求項５に記載の制御手段は、第１の表示手段のレベル表示の一部または全部を点滅して、鍋が加熱に不適切である旨の表示を行うとともに、前記予熱期間である旨の表示と前記鍋が加熱に不適切である旨の表示とで点滅する要素を変更する構成として、第１の表示手段に鍋が加熱に不適切である旨を表示する要素を新たに追加することなく、第１の表示手段によって設定温度の高低または設定火力の強弱を表現しかつ表示要素の段数削減による視認性向上やコスト削減を行いつつ、予熱期間である旨の表示と鍋が加熱に不適切である旨の表示を区別して行うことができる。
【００３１】
請求項７に記載の発明は、特に、請求項１〜６に記載のものに、動作モード、設定時間、設定温度を変更する入力手段と、レベル表示する要素のみ備えた第２の表示手段を備えて、第１の表示手段と前記第２の表示手段の何れか一方を前記入力手段近傍に配置し、かつ他方を鍋の設置箇所近傍に配置するとともに、制御手段は、前記第１の表示手段のレベル表示する要素での表示内容を、前記第２の表示手段にて同様に表示する構成として、機器を使用する者が、入力手段を操作するとき、および鍋に触れながら調理を行うときの双方にて、視線を大きくずらすことなく機器の動作状態を確認することができる。
【００３２】
また、第１の表示手段と第２の表示手段をそれぞれ別々の構成手段にて駆動するように制御手段を構成した場合、各々の構成手段の間で正常に情報伝達が行われているかを第１の表示手段の表示内容と第２の表示手段の表示内容を見比べて確認することができる。
【００３３】
さらに、設定温度の高低または設定火力の強弱を表現し、表示要素の段数削減による視認性向上やコスト削減を行いつつ、制御手段が、温調モードでは、第１の表示手段および第２の表示手段ともに前記設定温度の高低に対応したレベル表示を行うよう制御するので、時間表示する要素とレベル表示する要素を含む詳細情報を表示する第１の表示手段による表示と、レベル表示する要素のみの簡素な情報を表示する第２の表示手段による表示との整合性を確保することができる。
【００３４】
【実施例】
以下、本発明の実施例について、図面を参照しながら説明する。
【００３５】
（実施例１）
図１は本発明の実施例１における加熱調理器のブロック図を示したものであり、図８の従来例と同一の機能を有するものには同一の符号を付与している。図１に示す構成で図８の構成と異なる点は、まず、加熱制御部９の通電制御手段９０、および操作部１０のモード制御手段１００において、加熱モードおよびタイマー加熱モードのときの設定火力数を、選択範囲は１２０Ｗ（「弱」）〜２０００Ｗ（「強」）のままにて、７段階から８段階に増加する。
【００３６】
また、第１の表示手段６の表示要素から、設定温度の選択範囲（１４０℃〜２００℃まで７段階）を表示する要素を削減し、設定火力または設定温度をレベル表示する要素、およびタイマー選択モードまたはタイマー加熱モードにて時間表示する要素を大きくしたものを新たに第１の表示手段１１とする。そして、操作部１０のモード制御手段１００が、揚げ物モードのときは、第１の表示手段１１にて、タイマー選択モードまたはタイマー加熱モードのときに時間表示する要素で選択されている設定温度を数字表示するとともに、前記選択されている設定温度の高低に対応したレベル表示を行うようにした点にある。
【００３７】
また、図２は、本発明の実施例１における加熱調理器の外観図である。なお、図２に示す機器は、システムキッチン組込み型であり、鍋２を誘導加熱する誘導加熱部を左右に２口（右誘導加熱部１３、左誘導加熱部１４）、鍋２をヒータ加熱するヒータ加熱部１５を中央に１口、ヒータ加熱し魚などを加熱調理するロースタ部１６を１口それぞれ備えている。そして、図２に示すように、入力手段５および第１の表示手段１１を備えた操作表示パネル１２を、機器を使用する者に対向する側面に配置する。
【００３８】
さらに、第２の表示手段７を、右誘導加熱部１３の設定火力または設定温度を表示する第２の表示手段右部７０と、左誘導加熱部１４の設定火力または設定温度を表示する第２の表示手段左部７１とで構成し、第２の表示手段右部７０を右誘導加熱部１３近傍に、第２の表示手段左部７１を左誘導加熱部１４近傍に配置している。
【００３９】
また、図３は、本発明の実施例１における操作表示パネル１２の詳細図である。図３に示すように、入力手段５および第１の表示手段１１は、右誘導加熱部１３、左誘導加熱部１４、ヒータ加熱部１５、ロースタ部１６をそれぞれ設定変更または状態表示できるよう構成されており、入力手段５の上側に第１の表示手段１１が配置されている。
【００４０】
また、第１の表示手段１１は、右誘導加熱部１３の状態を表示する第１の表示手段右部１１０、ヒータ加熱部１５およびロースタ部１６の状態を表示する第１の表示手段中央部１１１、左誘導加熱部１４の状態を表示する第１の表示手段左部１１２より構成されている。
【００４１】
以上の構成により、機器を使用する者が、入力手段５を操作して機器の動作状態を変更するときは第１の表示手段１１を見て変更後の機器の動作状態を視線を大きくずらすことなく容易に確認することができ、鍋２に触れながら調理を行うときは第２の表示手段７を見て機器の動作状態を視線を大きくずらすことなく容易に確認することができる。
【００４２】
また、操作部１０の所有する情報である、モード制御手段１００の動作モード、設定時間、設定火力または設定温度に関する情報や、加熱制御部８から受信した加熱手段３や温度センサ４で発生した異常情報を第１の表示手段１１に表示し、加熱制御部９で所有する情報である、操作部１０から受信した動作モード、設定火力または設定温度に関する情報や、加熱手段３や温度センサ４で発生した異常情報を第２の表示手段７に表示するので、動作モード、設定火力または設定温度が操作部１０から加熱制御部９へ正しく伝達されていること、および加熱手段３や温度センサ４で発生した異常が加熱制御部９から操作部１０へ正しく伝達されていることを、第１の表示手段１１および第２の表示手段７の表示内容を見比べて確認することができる。
【００４３】
さて、以上のように構成された加熱調理器の表示動作について、図４〜図５を用いて説明する。
【００４４】
図４は、第１の表示手段右部１１０の全表示要素を示す図である。図４に示すように、本発明の第１の表示手段右部１１０は、図９で示した従来構成の第１の表示手段６の表示要素に対して、表示範囲全体の大きさはそのまま維持しつつ、設定温度の選択範囲（１４０℃〜２００℃まで７段階）を表示する要素を削減し、設定火力または設定温度をレベル表示する要素の上下方向高さを大きくするとともに左から右へ傾斜を持たせて火力の強弱または温度の高低を更に鮮明に表現し、設定時間または設定温度を数字表示する要素を全体的に大きくし見易くしている。
【００４５】
以上の構成により、第１の表示手段１１において上下方向の表示要素段数を削減し、表示範囲全体の高さが同一の場合は表示要素１段当たりの高さを高くして視認性を向上することができる。
【００４６】
図５は、第１の表示手段右部１１０および第２の表示手段右部７０の表示動作を示す図であり、図５の（ａ）はタイマー加熱モードのときの表示、（ｂ）は揚げ物モードのときの表示、（ｃ）はタイマー加熱モードで鍋２が加熱に不適切であるときの表示、（ｄ）は揚げ物モードで鍋２が加熱に不適切であるときの表示を示す図である。
【００４７】
まず、タイマー加熱モードでは、例えば、残時間３時間４５分、設定火力＝「強」の場合、図５（ａ）に示すように、入力手段５近傍にある第１の表示手段右部１１０のＬＣＤにて、タイマー残時間を時１桁と分２桁にて「３：４５」と表示し、かつ数字表示がタイマー残時間である旨を示すために「３：４５」の近傍に「残り」と表示し、設定火力の選択範囲（「弱」〜「強」設定まで８段階）を示す表示を行うとともに現在選択されている設定火力「強」までをレベル表示している。また、鍋２近傍にある第２の表示手段右部７０のＬＥＤでは、選択されている設定火力「強」までをレベル表示している。
【００４８】
以上の構成により、タイマー加熱モードにおいて、レベル表示する要素にて選択されている設定火力の強弱を表現しつつ、レベル表示する内容が具体的にどの設定火力で動作しているかを機器を使用する者に容易に認知させることができ、かつ第１の表示手段右部１１０と第２の表示手段右部７０との表示内容の整合性を確保することができる。
【００４９】
次に、揚げ物モードでは、例えば、設定温度＝「１８０」℃の場合、図５（ｂ）に示すように、入力手段５近傍にある第１の表示手段右部１１０のＬＣＤにて、揚げ物モードである旨を示すために「揚げ物」と表示し、図５（ａ）で示した、タイマー加熱モードでタイマー残時間を数字表示していた要素にて、現在選択されている設定温度「１８０」を数字表示するとともに、最小の設定温度「１４０」から現在選択されている設定温度「１８０」まで５つだけレベル表示し、さらに予熱中であるときは設定温度のレベル表示において、一番右の部分のみ１．０秒毎に点滅させ、その他を点灯させている。
【００５０】
また、鍋２近傍にある第２の表示手段７のＬＥＤでは、最小の設定温度「１４０」から選択されている設定温度「１８０」まで５つだけレベル表示を行い、さらに予熱中であるときは前記レベル表示の一番右の部分のみ１．０秒毎に点滅させ、その他を点灯させている。
【００５１】
以上の構成により、揚げ物モードにおいて、レベル表示する要素にて選択されている設定温度の高低を表現しつつ、第１の表示手段右部１１０に設定温度の選択範囲に関する要素が存在しなくても、レベル表示する内容が具体的にどの設定温度で動作しているかを機器を使用する者に容易に認知させることができ、かつ第１の表示手段右部１１０と第２の表示手段右部７０との表示内容の整合性を確保することができる。
【００５２】
また、予熱期間を示す表示のみ行う要素を新たに追加することなく、第１の表示手段右部１１０と第２の表示手段右部７０との表示内容の整合性や、表示要素の段数削減による視認性向上を行いつつ、予熱中である旨の表示を行うことができる。
【００５３】
次に、タイマー加熱モードにて鍋２が加熱に不適切であるときは、図５（ｃ）に示すように、図５（ａ）で示したタイマー加熱モードのときの表示に対し、入手段５近傍にある第１の表示手段右部１１０のＬＣＤの設定火力に応じたレベル表示、および鍋２近傍にある第２の表示手段右部７０のＬＥＤの設定火力に応じたレベル表示を０．５秒毎に点滅表示させる。
【００５４】
次に、揚げ物モードにて鍋２が加熱に不適切であるときは、図５（ｄ）に示すように、図５（ｂ）で示した揚げ物モードのときの表示に対し、入力手段５近傍にある第１の表示手段右部１１０のＬＣＤの設定温度に応じたレベル表示、および鍋２近傍にある第２の表示手段右部７０のＬＥＤの設定温度に応じたレベル表示を０．５秒毎に点滅表示させる。
【００５５】
以上の構成により、鍋２が加熱に不適切である旨を表示する要素を新たに追加することなく、第１の表示手段右部１１０と第２の表示手段右部７０との表示内容の整合性や、表示要素の段数削減による視認性向上を行いつつ、鍋２が加熱に不適切である旨の表示を前記予熱中である旨の表示とは区別して行うことができる。
【００５６】
なお、図５（ｃ）および（ｄ）に示す鍋２が加熱に不適切であるときの点滅周期（０．５秒毎）を、図５（ｂ）に示す揚げ物モードで予熱中のときの点滅周期（１．０秒毎）よりも短く設定している。これは、鍋２が加熱に不適切であるので加熱を停止する、または鍋２を別のものに取り替える等の処置を機器を使用する者に喚起するためである。
【００５７】
また、第１の表示手段右部１１０にて、設定火力または設定温度をレベル表示する要素を基準として、設定火力の選択範囲（「弱」〜「強」まで８段階）を表示する要素を下側に、タイマー残時間または設定温度を数字表示する要素を上側と、互いに対向する位置に近接して配置している。
【００５８】
以上の構成により、揚げ物モードのときは、設定温度の高低を表現するレベル表示のすぐ上の位置で現在選択されている設定温度を具体的に数字表示し、タイマー加熱モードのときは、設定火力の強弱を表現するレベル表示のすぐ下の位置で設定火力の選択範囲を表示して、機器を使用する者が、レベル表示の具体的な設定温度または設定火力がどの段階にあるかを認知し易くすることができる。
【００５９】
（実施例２）
図６は本発明の実施例２における加熱調理器のブロック図を示したものであり、図８の従来例と同一の機能を有するものには同一の符号を付与している。図６に示す構成で図８の構成と異なる点は、第１の表示手段６の表示要素から、設定温度の選択範囲（１４０℃〜２００℃まで７段階）を表示する要素を削減し表示範囲全体の高さを低くしたものを新たに第１の表示手段１７としたことである。
【００６０】
以上のように構成された加熱調理器について、図７を用いてその動作を説明する。図７は、第１の表示手段１７の全表示要素を示す図である。図７に示すように、本発明の第１の表示手段１７は、図９で示した従来構成の第１の表示手段６の表示要素に対して、設定温度の選択範囲（１４０℃〜２００℃まで７段階）を表示する要素を削減し、表示範囲全体の高さを低く抑えている。
【００６１】
そして、実施例２における、タイマー加熱モード、揚げ物モード、タイマー加熱モードにて鍋２が加熱に不適切、揚げ物モードにて鍋２が加熱に不適切のときの表示は、設定火力数の差（実施例１は８段階）に起因する表示を除いて、図５で示した実施例１での表示と同様の要領にて行うものとする。
【００６２】
以上の構成により、第１の表示手段１１において上下方向の表示要素段数を削減し、各表示要素の高さをそのままにして、表示範囲全体の高さを低く抑えた安価な部品にて第１の表示手段を構成することができる。
【００６３】
なお、従来例および実施例１、２にて、詳細情報を表示する第１の表示手段６、１１、または１７を入力手段５近傍に、レベル表示のみといった簡易な情報を表示する第２の表示手段７を鍋２近傍に配置しているが、第１の表示手段６、１１、または１７を鍋２近傍に配置し、第２の表示手段７を入力手段５近傍に配置した構成としても同様の効果を得ることができる。
【００６４】
また、第１の表示手段６、１１、または１７をバックライト付きＬＣＤで、第２の表示手段７をＬＥＤにて構成しているが、表示素子の種類に依らず同様の効果を得ることができる。
【００６５】
また、制御手段８を加熱制御部９と操作部１０で構成し、加熱制御部９と操作部１０との間で変調手段および復調手段を介してシリアル通信を行い情報伝達する構成としているが、単一の構成手段にて実現することもできる。
【００６６】
また、制御手段８を構成する手段の一部または全部を、単一または複数のマイクロコンピュータで行うとしても同様の効果を得ることができる。
【００６７】
【発明の効果】
以上のように、請求項１〜７に記載の発明によれば、揚げ物モードで選択されている設定温度の具体的な数値および全設定温度数の中での高低レベルの位置づけを機器を使用する者に認知させつつ、表示要素１段当たりの高さを高くして視認性を向上する、または安価な部品にて第１の表示手段を構成することができる。
【００６８】
さらに、請求項７に記載の発明によれば、詳細情報を表示する第１の表示手段による表示と、簡易な情報を表示する第２の表示手段による表示との整合性を確保することができる。
【図面の簡単な説明】
【図１】本発明の実施例１における加熱調理器のブロック図
【図２】同、加熱調理器の外観図
【図３】同、操作表示パネルの詳細図
【図４】同、第１の表示手段右部の全表示要素を示す図
【図５】（ａ）同、タイマー加熱モードのときの表示動作を示す図
（ｂ）同、揚げ物モードのときの表示動作を示す図
（ｃ）同、タイマー加熱モードで鍋が加熱に不適切であるときの表示動作を示す図
（ｄ）同、揚げ物モードで鍋が加熱に不適切であるときの表示動作を示す図
【図６】本発明の実施例２における加熱調理器のブロック図
【図７】同、第１の表示手段の全表示要素を示す図
【図８】従来の加熱調理器のブロック図
【図９】同、第１の表示手段の全表示要素を示す図
【図１０】（ａ）同、タイマー加熱モードのときの表示動作の第１例を示す図
（ｂ）同、揚げ物モードのときの表示動作の第１例を示す図
（ｃ）同、タイマー加熱モードで鍋が加熱に不適切であるときの表示動作の第１例を示す図
（ｄ）同、揚げ物モードで鍋が加熱に不適切であるときの表示動作の第１例を示す図
【図１１】同、揚げ物モードのときの表示動作の第２例を示す図
【符号の説明】
２　鍋
３　加熱手段
４　温度センサ
５　入力手段
７　第２の表示手段
８　制御手段
１１、１７　第１の表示手段
【図１】
2004111086.tif 000003
【図２】
2004111086.tif 000004
【図３】
2004111086.tif 000005
【図４】
2004111086.tif 000006
【図５】
2004111086.tif 000007
【図６】
2004111086.tif 000008
【図７】
2004111086.tif 000009
【図８】
2004111086.tif 000010
【図９】
2004111086.tif 000011
【図１０】
2004111086.tif 000012
【図１１】
2004111086.tif 000013